(57)【要約】【課題】潤滑性、速乾性、低起泡性、経時安定性に優れ、高速印刷に耐え得る水性インキを提供する。【解決手段】水性インキ組成物は、式（１）で表される化合物を０．０１〜５質量％  、式（２）で表される化合物を５〜３０質量％、グリセリンを５〜３０質量％、着色剤を１〜２５質量％、および残部として水を含む。  Ｒ１Ｏ−（ＥＯ）ａ−（ＰＯ）ｂ−Ｈ       （１）（Ｒ１は３，５，５−トリメチル−１−ヘキシル基、ＥＯはオキシエチレン基、ＰＯはオキシプロピレン基、ａはオキシエチレン基の平均付加モル数でａ＝３〜１５、ｂはオキシプロピレン基の平均付加モル数でｂ＝３〜５、ａ／ｂ＝１〜３である。）  Ｒ２Ｏ−（ＡＯ）ｃ−Ｈ           （２）（Ｒ２は水素原子または炭素数２〜４のアルキル基、ＡＯは炭素数２または３のオキシアルキレン基、ｃは炭素数２または３のオキアルキレン基の平均付加モル数でｃ＝１〜３である。）【選択図】              なし【特許請求の範囲】
【請求項１】
式（１）で表される化合物を０．０１〜５質量％、式（２）で表される化合物を５〜３０質量％、グリセリンを５〜３０質量％、着色剤を１〜２５質量％および残部として水を含むことを特徴とする、水性インキ組成物。
Ｒ１Ｏ−（ＥＯ）ａ−（ＰＯ）ｂ−Ｈ            （１）
（式（１）中、Ｒ１は３，５，５−トリメチル−１−ヘキシル基、ＥＯはオキシエチレン基、ＰＯはオキシプロピレン基、ａはオキシエチレン基の平均付加モル数でａ＝３〜１５、ｂはオキシプロピレン基の平均付加モル数でｂ＝３〜５、ａ／ｂ＝１〜３である。）
Ｒ２Ｏ−（ＡＯ）ｃ−Ｈ                  （２）
（式（２）中、Ｒ２は水素原子または炭素数１〜４のアルキル基、ＡＯは炭素数２または３のオキシアルキレン基、ｃは炭素数２または３のオキアルキレン基の平均付加モル数でｃ＝１〜３である。）
【発明の詳細な説明】
【技術分野】
【０００１】
本発明は、潤滑性、速乾性、低起泡性、経時安定性に優れた水性インキに関するものである。
【背景技術】
【０００２】
従来より、筆記具用や印刷用のインキとして油性インキが広く用いられてきたが、近年、これら油性インキに替わって水性インキが用いられるようになりつつある。例えば、ボールペンインキ等の筆記具用インキの場合、水性インキの粘度は油性インキと比較して低いため、弱い筆圧で、且つ、滑らかな筆記が可能となる。また、グラビア印刷、フレキソ印刷、インクジェット印刷等の印刷インキの場合、水性インキとすることで有機溶剤の使用量を低減し、環境への負荷を低減することが可能となる。
【０００３】
しかし、これら水性インキは油性インキと比較して潤滑性に乏しい、乾燥時間が遅い、起泡しやすい等の問題があった。
【０００４】
インキの潤滑性が乏しいと、例えばボールペンインキとして用いた場合、ボールとボール収容部の磨耗を生じ、滑らかな筆感が得られない原因となる。
また、インキの乾燥時間が遅いと、筆記具用インキでは筆記直後に紙面に触れる等により紙面を汚してしまい、印刷インキでは高速印刷に支障をきたす原因となる。
【０００５】
さらに、インキが起泡しやすいと、インキ製造時の撹拌工程時に気泡を巻き込みやすくなり、筆記具用インキにおけるインキ収容管やインクジェット用のインキカートリッジへ充填しにくくなるため、生産性を低下させる原因となる。また、遠心分離機等で脱泡処理を行っても脱泡しきれず、インキ収容管やインキカートリッジに気泡が残存することで、筆跡のかすれや印刷不良を引き起こす原因となる。加えて、筆記具用インキでは筆記時にインキ収容管に気泡を巻き込むことにより筆跡のかすれや線切れ等を生じ、印刷インキでは印刷版やインキタンクに気泡が混入することで印刷不良等を生じたり高速印刷に支障をきたしたりする原因となる。
【０００６】
これらの問題を解決する手段として、下記に挙げるインキが例示されている。
【０００７】
インキの潤滑性を向上させる手段として、例えばＣ１６〜１８のアルキル基を用いたポリオキシエチレンアルキルエーテルを用いたボールペン用水性インキ組成物が提案されている（特許文献１）。このボールペン用水性インキを用いることにより、ボールとボール収容部の摩擦を低減させることで滑らかな筆感を得ることができる。
【０００８】
また、紙面での乾燥速度、及び低起泡性を向上させる手段として、アセチレングリコール系の界面活性剤を用いた水性インキ組成物が提案されている（特許文献２及び特許文献３）。このアセチレングリコール系の界面活性剤を用いることにより、乾燥時間が速く、低起泡性のインキが得られる。
【先行技術文献】
【特許文献】
【０００９】
【特許文献１】特開平８−３０２２６６号公報
【特許文献２】特開２０００−２９０５４９号公報
【特許文献３】特開２００２−３４８５００号公報
【発明の開示】
【発明が解決しようとする課題】
【００１０】
特許文献１記載のように、前記ポリオキシエチレンアルキルエーテルを用いたインキは乾燥時間が遅く、また、起泡しやすいため、高速印刷用の印刷インクとしては不向きであるという問題があった。さらに、水や水溶性有機溶剤であるエチレングリコール、グリセリン等への溶解性が乏しいため、経時的にポリオキシエチレンアルキルエーテルが凝集や分離を引き起こすことにより、ボールとボール収容部の磨耗を生じるようになることで滑らかな筆感が得られなくなるという問題があった。
【００１１】
特許文献２、３記載の水性インキは、特に低起泡性については不十分であり、これまで以上の高速印刷に耐えられないという問題があった。さらに、アセチレングリコール系の界面活性剤は長期的な安定性に乏しいため、経時的に起泡しやすくなったり、乾燥時間が遅くなったりする問題があった。
【００１２】
したがって、潤滑性、速乾性、低起泡性、経時安定性のいずれも優れ、且つ、これまで以上の高速印刷に耐え得る水性インキが求められる。
【００１３】
本発明の課題は、潤滑性、速乾性、低起泡性、経時安定性のいずれも優れ、且つ、これまで以上の高速印刷に耐え得る水性インキを提供することである。
【課題を解決するための手段】
【００１４】
上記目的を達成するために鋭意検討を重ねた結果、特定のアルコールにオキシエチレン基やオキシプロピレン基を特定の割合で付加させた構造の化合物を用いることで、潤滑性、速乾性、低起泡性、経時安定性のいずれも優れた水性インキが得られることを見出し、本発明に至ったものである。
【００１５】
すなわち、本発明は、式（１）で表される化合物を０．０１〜５質量％、式（２）で表される化合物を５〜３０質量％、グリセリンを５〜３０質量％、着色剤を１〜２５質量％、および残部として水を含むことを特徴とする水性インキ組成物である。
Ｒ１Ｏ−（ＥＯ）ａ−（ＰＯ）ｂ−Ｈ       （１）
（式（１）中、Ｒ１は３，５，５−トリメチル−１−ヘキシル基、ＥＯはオキシエチレン基、ＰＯはオキシプロピレン基、ａはオキシエチレン基の平均付加モル数でａ＝３〜１５、ｂはオキシプロピレン基の平均付加モル数でｂ＝３〜５、ａ／ｂ＝１〜３である。）
Ｒ２Ｏ−（ＡＯ）ｃ−Ｈ           （２）
（式（２）中、Ｒ２は水素原子または炭素数２〜４のアルキル基、ＡＯは炭素数２または３のオキシアルキレン基、ｃは炭素数２または３のオキアルキレン基の平均付加モル数でｃ＝１〜３である。）
【発明の効果】
【００１６】
本発明により、潤滑性、速乾性、低起泡性、経時安定性のいずれも優れ、且つ、これまで以上の高速印刷に耐え得る水性インキを提供できるため、大変有用である。
【発明を実施するための形態】
【００１７】
（式（１）で表される化合物）
式（１）で表される化合物を用いることにより、潤滑性、速乾性、低起泡性を付与し、且つ、経時安定性に優れた水性インキを得ることが可能となる。本発明は、式（１）で表される化合物を用いるところに顕著な特徴を有する。
【００１８】
Ｒ１は、３，５，５−トリメチル−１−ヘキサノールから水酸基を除いた残基であり、すなわち３，５，５−トリメチル−１−ヘキシル基である。
Ｒ１が炭素数が８以下のアルキル基であると、速乾性や低起泡性が劣り、炭素数が１０以上のアルキル基であると、インキの調製直後または経時的に凝集や分離を引き起こしやすい。しかも、炭素数９のアルコールのうち、動的表面張力低下能、低泡性、版トレ防止の観点から、３個のメチル分岐を有する３，５，５−トリメチル−１−ヘキシル基が優れていることを発見した。
【００１９】
ＥＯは、オキシエチレン基である。ａはオキシエチレン基の平均付加モル数であり、３〜１５とする。ａが３より小さい場合は、インキの調製直後または経時的に式（１）で表される化合物が凝集や分離を引き起こしやすくなるため好ましくない。この観点からは、ａは４以上が更に好ましい。また、ａが１５より大きい場合は、速乾性や低起泡性に劣るため好ましくない。この観点からは、ａは１０以下が更に好ましい。
【００２０】
ＰＯは、オキシプロピレン基であり、好ましくはプロピレンオキシド由来のオキシプロピレン基（メチルオキシエチレン基）である。
ｂは、オキシプロピレン基の平均付加モル数であり、３〜５が好ましく、３〜４がより好ましい。ｂが３より小さい場合は、速乾性や低起泡性に劣るため好ましくない。また、ｂが５より大きい場合は、インキの調製直後または経時的に式（１）で表される化合物が凝集や分離を引き起こしやすくなるため好ましくない。
【００２１】
ａ／ｂは、オキシエチレン基の平均付加モル数ａとオキシプロピレン基の平均付加モル数ｂの比であり、１〜３である。これが１より小さい場合、インキの調製直後または経時的に式（１）で表される化合物が凝集や分離を引き起こしやすくなるため好ましくない。この観点からは、ａ／ｂは、１．２以上がさらに好ましい。また、ａ／ｂが３より大きい場合、親水性が強くなり過ぎることにより速乾性や低泡性に劣る。この観点からは、ａ／ｂは、２．８以下がより好ましく、２．６以下が一層好ましい。
【００２２】
なお、式（１）で表される化合物は、単独で使用しても、２種類以上を併用しても良い。２種類以上の式（１）で表される化合物を併用する場合は、（Ａ）Ｒ１が３，５，５−トリメチル−１−ヘキシル基、ａ＝３〜６、ｂ＝２〜４、１≦ａ／ｂ≦２の化合物と、（Ｂ）Ｒ１が３，５，５−トリメチル−１−ヘキシル基、ａ＝７〜１２、ｂ＝３〜５、２≦ａ／ｂ≦３の化合物を、重量比で（Ａ）：（Ｂ）＝１０〜５０：５０〜９０で用いることが好ましく、１５〜４０：６０〜８５で用いることがより好ましい。
【００２３】
（式（２）で表される化合物、及びグリセリン）
式（２）で表される化合物とグリセリンとを併用することにより、式（１）で表される化合物を相溶化し、且つ、水性インキの粘度調製やペン先やインキノズルでの乾燥防止が可能となる。また、式（１）で表される化合物との併用により、水性インキに低起泡性を付与することが可能となる。
【００２４】
Ｒ２は、水素原子、または炭素数１〜４のアルキル基である。炭素数１〜４のアルキル基は、具体的には、メチル基、エチル基、ｎ−プロピル基、イソプロピル基、ｎ−ブチル基、イソブチル基、ｓｅｃ−ブチル基、ｔｅｒｔ−ブチル基が挙げられる。この中でも水素原子が最も好ましい。
【００２５】
ＡＯは、炭素数２または３のオキシアルキレン基であり、具体的にはオキシエチレン基、オキシプロピレン基である。オキシプロピレン基はプロピレンオキシド由来であり、好ましくはオキシエチレン基である。
【００２６】
ｃは、炭素数２または３のオキシアルキレン基の平均付加モル数で、ＡＯが２種以上の場合は合計平均付加モル数を示す。ｃの範囲は、１〜３が好ましく、１〜２がより好ましく、１がさらに好ましい。ｃが３より大きい場合、起泡し易くなったり、粘度が高くなり過ぎたりするため好ましくない。
【００２７】
式（２）で表される化合物の好ましい具体例としては、以下を例示できる。
エチレングリコール及びそのエーテル（エチレングリコールモノメチルエーテル、エチレングリコールモノエチルエーテル、エチレングリコールモノプロピルエーテル、エチレングリコールモノイソプロピルエーテル、エチレングリコールモノ−ｎ−ブチルエーテル、エチレングリコールモノ−ｓｅｃ−ブチルエーテル、エチレングリコールモノイソブチルエーテル、エチレングリコールモノ−ｔｅｒｔ−ブチルエーテル）；
ジエチレングリコール及びそのエーテル（ジエチレングリコールモノメチルエーテル、ジエチレングリコールモノエチルエーテル、ジエチレングリコールモノプロピルエーテル、ジエチレングリコールモノイソプロピルエーテル、ジエチレングリコールモノ−ｎ−ブチルエーテル、ジエチレングリコールモノ−ｓｅｃ−ブチルエーテル、ジエチレングリコールモノイソブチルエーテル、ジエチレングリコールモノ−ｔｅｒｔ−ブチルエーテル）；
トリエチレングリコール及びそのエーテル（トリエチレングリコールモノメチルエーテル、トリエチレングリコールモノエチルエーテル、トリエチレングリコールモノプロピルエーテル、トリエチレングリコールモノイソプロピルエーテル、トリエチレングリコールモノ−ｎ−ブチルエーテル、トリエチレングリコールモノ−ｓｅｃ−ブチルエーテル、トリエチレングリコールモノイソブチルエーテル、トリエチレングリコールモノ−ｔｅｒｔ−ブチルエーテル）；
プロピレングリコール及びそのエーテル（プロピレングリコールモノメチルエーテル、プロピレングリコールモノエチルエーテル、プロピレングリコールモノプロピルエーテル、プロピレングリコールモノイソプロピルエーテル、プロピレングリコールモノ−ｎ−ブチルエーテル、プロピレングリコールモノ−ｓｅｃ−ブチルエーテル、プロピレングリコールモノイソブチルエーテル、プロピレングリコールモノ−ｔｅｒｔ−ブチルエーテル）；
ジプロピレングリコール及びそのエーテル（ジプロピレングリコールモノメチルエーテル、ジプロピレングリコールモノエチルエーテル、ジプロピレングリコールモノプロピルエーテル、ジプロピレングリコールモノイソプロピルエーテル、ジプロピレングリコールモノ−ｎ−ブチルエーテル、ジプロピレングリコールモノ−ｓｅｃ−ブチルエーテル、ジプロピレングリコールモノイソブチルエーテル、ジプロピレングリコールモノ−ｔｅｒｔ−ブチルエーテル）；
トリプロピレングリコール及びそのエーテル（トリプロピレングリコールモノメチルエーテル、トリプロピレングリコールモノエチルエーテル、トリプロピレングリコールモノプロピルエーテル、トリプロピレングリコールモノイソプロピルエーテル、トリプロピレングリコールモノ−ｎ−ブチルエーテル、トリプロピレングリコールモノ−ｓｅｃ−ブチルエーテル、トリプロピレングリコールモノイソブチルエーテル、トリプロピレングリコールモノ−ｔｅｒｔ−ブチルエーテル）。
【００２８】
これらのうち、エチレングリコール、ジエチレングリコール、プロピレングリコールが最も好ましい。なお、これら式（２）で表される化合物は、単一でも２種以上を併用しても良い。
【００２９】
（着色剤について）
本発明に用いる着色剤は、顔料や水溶性の染料が用いられ、単独で使用しても２種以上を併用しても良い。
【００３０】
顔料としては、従来より用いられている無機系および有機系顔料の中から任意のものを使用することができる。無機系顔料としては、例えば酸化チタン、カーボンブラック、金属粉などが挙げられる。また有機系顔料としては、例えばアゾレーキ、不溶性アゾ顔料、キレートアゾ顔料、フタロシアニン顔料、ペリレンおよびペリノン顔料、アントラキノン顔料、キナクリドン顔料、染料レーキ、ニトロ顔料、ニトロソ顔料等であり、具体的には、フタロシアニンブルー、フタロシアニングリーン、ハンザイエロー３Ｇ、ジスアゾエローＧＲ、パーマネントレッド４Ｒ、ブリリアントカーミン６Ｂ、キナクリドンレッドが挙げられる。
【００３１】
また、スチレン樹脂、アクリル樹脂、アクリロニトリル樹脂を単独もしくは二種以上を用いて乳化重合して得られる平均粒子径０．１〜１μｍのポリマー微粒子の水分散体に塩基性染料や蛍光性塩基染料および／または蛍光増白剤で染着した樹脂エマルション着色体等が挙げられる。
【００３２】
水溶性の染料としては、従来より水性インキに用いられているものの中から任意のものを使用することができる。例えば、Ｃ．Ｉ．アシッドレッド８７、アシッドオレンジ５６、アシッドバイオレッド４９、アシッドブルー９等の酸性染料、Ｃ．Ｉ．ダイレクトエロー５０、ダイレクトブラック１９等の直接染料、Ｃ．Ｉ．ベイシックブルー９、ベイシックレッド１、ベイシックイエロー３５等の塩基性染料等が挙げられる。
【００３３】
（水性インキ組成物）
本発明の水性インキ組成物は、式（１）で表される化合物、式（２）で表される化合物、グリセリン、着色剤、及び水を含んでおり、各成分の好適な配合量は下記の通りである。
【００３４】
式（１）で表される化合物の配合比率は、水性インキの潤滑性、速乾性、低起泡性の観点から、水性インキ中に０．０１〜５質量％が好ましく、０．０５〜３質量％がより好ましい。この比率は、０．１質量％以上が好ましく、０．１５質量％以上が更に好ましい。また、式（１）で表される化合物の配合比率は、２質量％以下が好ましく、１質量％以下が更に好ましく、０．８質量％以下が一層好ましい。
【００３５】
式（２）で表される化合物の配合比率は、水性インキの粘度調製、乾燥防止、低起泡性の観点から、水性インキ中に５〜３０質量％が好ましい。式（２）で表される化合物の配合比率は、１０質量％以上が更に好ましい。また、この比率は、２５質量％以下が好ましく、２０質量％以下が更に好ましい。
【００３６】
グリセリンの配合比率は、水性インキの粘度調製、乾燥防止、低起泡性の観点から、水性インキ中に５〜３０質量％が好ましい。グリセリンの配合比率は、１０質量％以上が好ましく、また、２５質量％以下が好ましく、２０質量％が更に好ましい。
【００３７】
着色剤の配合比率は、水性インクの着色度合いや粘度、式（１）で表される化合物、式（２）で表される化合物、グリセリン、水との相互作用等の観点から、水性インキ中に１〜２５質量％が好ましい。着色剤の配合比率は、２質量％以上が好ましく、３質量％以上が更に好ましく、５質量％以上が特に好ましい。また、着色剤の配合比率は、２０質量％以下が好ましく、１５質量％以下が更に好ましい。
【００３８】
式（１）で表される化合物、式（２）で表される化合物、グリセリン、着色剤および水の配合比率の合計を１００質量％とするので、組成物の残部を水が占めている。具体的数値を例示すると、水の配合比率は、水性インキの粘度、式（１）で表される化合物、式（２）で表される化合物、グリセリン、着色剤との相互作用等の観点から、水性インキ中に１０質量％以上が好ましく、２７質量％以上がより好ましく、３３質量％以上が更に好ましく、４４質量％以上が特に好ましい。また，水の配合比率は、８８．９９質量％以下が好ましく、８７．９５質量％以下がより好ましく、７７．９質量％以下が更に好ましく、７４．９質量％以下が特に好ましい。
【００３９】
（添加剤）
製品化に際しては、本発明の水性インキ組成物に対して、他の添加剤を更に添加することができる。こうした添加剤としては、陽イオン性、陰イオン性、非イオン性、両性の各種界面活性剤、アクリル樹脂、アルキッド樹脂、スチレン−マレイン酸共重合体、セルロース誘導体、ポリビニルピロリドン、ポリビニルアルコール、デキストリン、キサンタンガム、ウェランガム等の水溶性高分子化合物、尿素、ソルビトール、マンニトール、ショ糖、ぶどう糖、還元デンプン加水分解物、ピロリン酸ナトリウム等の乾燥防止剤、有機酸、無機酸、及びこれらの塩等のｐＨ調整剤、デヒドロ酢酸ナトリウム、安息香酸ナトリウム、１，２−ベンズイソチアゾリン−３−オン化合物等の防腐剤、ベンゾトリアゾール等の防錆剤、シリコーン化合物等の消泡剤等を例示できる。
【００４０】
本発明の水性インキを製造するには、公知の種々の方法を用いることができる。例えば、ペイントシェーカー、ニーダー、ロールミル、ビーズミル、サンドミル、アトライター、ディゾルバー、エクストルーダー、ホモミキサー、高圧ホモジナイザー等の撹拌機を用い、撹拌して均一になるまで溶解、混合することによりにより得ることができる。さらに必要に応じて、脱泡機により泡の除去を行ったり、濾過機や遠心分離機により粗大粒子や不溶成分を除いたりしても良い。
【００４１】
本発明の水性インクは、ボールペンや万年筆等の筆記具、グラビア印刷、フレキソ印刷、インクジェット印刷等の印刷インキに好適に用いることができる。さらに、塗料等にも好適に用いることができる。
【実施例】
【００４２】
以下に、実施例を挙げて本発明をさらに詳細に説明する。なお、合成品の分析は、１Ｈ  ＮＭＲ測定により行った。
【００４３】
まず、式（１）で表される化合物の合成例を示す。また、表１に合成した化合物及び用いた化合物を示す。
【００４４】
（合成例１（化合物１））
５Ｌオートクレーブに、３，５，５−トリメチル−１−ヘキサノール（商品名：ノナノール、ＫＨネオケム（株）製）４３３ｇ（３ｍｏｌ）および水酸化カリウム５ｇを仕込み、窒素置換後、撹拌しながら１２０℃に昇温した。次に滴下装置によりエチレンオキシド５２９ｇ（１２ｍｏｌ）を滴下し、１時間反応させた。続いて滴下装置によりプロピレンオキシド５２３ｇ（９ｍｏｌ）を滴下し、２時間反応させた。その後、オートクレーブ内から、反応物を取り出し、塩酸で中和して、ｐＨ６〜７とし、含有する水分を除去するため、１００℃、１時間、減圧処理を行い、最後に濾過により塩を除去して、１４１０ｇの化合物１を得た。
【００４５】
上記合成例１に準じて、下記の表１に示す化合物２、３、６、７を合成した。
【００４６】
(合成例２（化合物４）)
５Ｌオートクレーブに、イソノナノール（商品名：オキソコール９００、分岐数：１．３、ＫＨネオケム（株）製）４３３ｇ（３ｍｏｌ）および水酸化カリウム５ｇを仕込み、窒素置換後、撹拌しながら１２０℃に昇温した。次に滴下装置によりエチレンオキシド１０５７ｇ（２４ｍｏｌ）を滴下し、１時間反応させた。続いて滴下装置によりプロピレンオキシド６９７ｇ（１２ｍｏｌ）を滴下し、２時間反応させた。その後、オートクレーブ内から、反応物を取り出し、塩酸で中和して、ｐＨ６〜７とし、含有する水分を除去するため、１００℃、１時間、減圧処理を行い、最後に濾過により塩を除去して、２０８０ｇの化合物４を得た。
【００４７】
(合成例３（化合物５）)
【００４８】
５Ｌオートクレーブに、３，５，５−トリメチル−１−ヘキサノール（商品名：ノナノール、ＫＨネオケム（株）製）４３３ｇ（３ｍｏｌ）および水酸化カリウム５ｇを仕込み、窒素置換後、撹拌しながら１２０℃に昇温した。次に滴下装置によりエチレンオキシド１０５７ｇ（２４ｍｏｌ）を滴下し、１時間反応させた。その後、オートクレーブ内から、反応物を取り出し、塩酸で中和して、ｐＨ６〜７とし、含有する水分を除去するため、１００℃、１時間、減圧処理を行い、最後に濾過により塩を除去して、１４１５ｇの化合物５を得た。
【００４９】
(合成例４（化合物８）)
５Ｌオートクレーブに、ステアリルアルコール（商品名：ＮＡＡ−４５、日油（株）製）８１１ｇ（３ｍｏｌ）および水酸化カリウム５ｇを仕込み、窒素置換後、撹拌しながら１２０℃に昇温した。次に滴下装置によりエチレンオキシド９２５ｇ（２１ｍｏｌ）を滴下し、１時間反応させた。その後、オートクレーブ内から、反応物を取り出し、塩酸で中和して、ｐＨ６〜７とし、含有する水分を除去するため、１００℃、１時間、減圧処理を行い、最後に濾過により塩を除去して、１６４９ｇの化合物８を得た。
【００５０】
【表１】
2014091798.tif 000002
【００５１】
（溶液調製と外観の観察）
表１に示した化合物、式（２）の化合物、エチレングリコール、グリセリン、及びイオン交換水を表２、表３に記載の質量％にて混合し、均一になるまで撹拌後し、合計９５質量％の溶液を得た。得られた各溶液について、室温での外観を確認し、結果を表２、表３に示した。
【００５２】
（水性インキの調製）
外観を確認した各溶液に、着色剤「アシッドブルー９」を５質量％加えて均一になるまで撹拌し、合計１００質量％の水性インキ組成物を得た。得られた各水性インキ組成物について、乾燥時間と消泡時間の測定を行った。
【００５３】
（筆感試験）
得られた各水性インキ組成物について、普通紙上にＧペンにて筆記した際の筆感の評価を行った。滑らかな筆感でかすれや線切れが起こらないものを○、かすれや線切れがおこるものを×とした。滑らかな筆感の得られる水性インク組成物は潤滑性に優れることを表す。
【００５４】
（速乾性試験）
得られた各水性インキ組成物について、普通紙上にＧペンにて１０ｃｍの直線を引き、描線後、インキ組成物が乾燥するまでの時間を測定した。乾燥するまでの時間が短いほど速乾性が良好であることを表す。
【００５５】
（低泡性試験、及び経時安定性試験）
得られた各水性インキ組成物を５０ｍＬスクリュー管に２０ｍＬ充填し、蓋をして4回／秒の速さで１００回上下に振とうし、振とう終了直後から発生した気泡が完全に消失するまでの時間を測定した。発生した気泡が消失するまでの時間が短いほど、低起泡性であることを表す。
【００５６】
また、各水性インキ組成物について、日の当たる部屋にて室温で１ヶ月静置後に、再度振とう試験を同様の方法で行った。発生した気泡が消失するまでの時間が調製直後と同等であれば、経時安定性に優れることを表す。
【００５７】
【表２】
2014091798.tif 000003
【００５８】
【表３】
2014091798.tif 000004
【００５９】
本発明の式（１）で表される化合物を用いた実施例１〜３の水性インキ組成物は、いずれも透明な溶液が得られ、潤滑性、速乾性、低起泡性、経時安定性のいずれも優れていた。
【００６０】
比較例１の水性インキ組成物は、式（１）で表される化合物を用いなかったため、潤滑性、速乾性、低起泡性に劣っていた。
【００６１】
比較例２の水性インキ組成物は、式（２）で表される化合物、及びグリセリンを用いなかったため、潤滑性、低起泡性に劣っていた。
【００６２】
比較例３の水性インキ組成物は、式（１）で表される化合物のアルキル基が３，５，５−トリメチル−１−ヘキシル基でないため、透明な溶液が得られなかった。
【００６３】
比較例４の水性インキ組成物は、用いた化合物にオキシプロピレン基が付加されていないため、低起泡性に劣っていた。
【００６４】
比較例５の水性インキ組成物は、式（１）で表される化合物のオキシプロピレンの平均付加モル数が多く、透明な溶液が得られなかった。
【００６５】
比較例６の水性インキ組成物は、式（１）で表される化合物のオキシプロピレンの平均付加モル数が少なく、低起泡性に劣っていた。
【００６６】
比較例７の水性インキ組成物は、式（１）で表される化合物を用いなかったため、透明な溶液が得られなかった。また、速乾性や低起泡性に劣っていた。
【００６７】
比較例８の水性インキ組成物は、式（１）で表される化合物を用いなかったため、低起泡性に劣り、加えて経時安定性にも劣っていた。